(57)【要約】【課題】宅配ボックスへの悪戯による居住者への影響を抑制することが可能なインターホンシステムを提供することを目的とする。【解決手段】玄関子機２と、端末３と、宅配ボックス４と、を備え、玄関子機２と、端末３と、宅配ボックス４は通信可能である、インターホンシステム１において、宅配ボックス４は扉４１と、扉４１の閉状態を保つための電気錠４４と、を有しており、電気錠４４を解錠するための信号が生成されると、端末３は電気錠４４が解錠されたことを居住者に報知する。【選択図】図２
2019149694.tif 000002
【特許請求の範囲】
【請求項１】
来訪者が操作する玄関子機と、
前記玄関子機からの呼出に応答する端末と、
宅配物を収納可能な宅配ボックスと、を備え、
前記玄関子機と、前記端末と、前記宅配ボックスは通信可能である、インターホンシステムにおいて、
前記宅配ボックスは扉と、前記扉の閉状態を保つための電気錠と、を有しており、
前記電気錠を解錠するための信号が生成されると、前記端末は前記電気錠が解錠されたことを居住者に報知する、
インターホンシステム。
【請求項２】
前記報知は報知音を発することにより行われる、請求項１に記載のインターホンシステム。
【請求項３】
前記玄関子機はカメラを有しており、
前記信号が生成されると、前記カメラが撮影を開始する、
請求項１又は２に記載のインターホンシステム。
【請求項４】
前記玄関子機はカメラを有しており、
前記玄関子機が前記カメラによって来訪者が宅配業者であることを示す画像が撮像されたことを検出した場合、前記信号が生成される、請求項１から３のいずれか一項に記載のインターホンシステム。
【請求項５】
前記宅配ボックスは、前記扉の開状態を検出する検出部を有しており、
前記検出部が前記扉の開状態を検出すると、前記端末から、前記扉の開状態を通知する通知音が報知される、請求項１から４のいずれか一項に記載のインターホンシステム。
【請求項６】
前記端末は、前記玄関子機から警報又は音声を出力するための操作部を備え、
前記操作部を介した操作によって、前記玄関子機から警報又は音声が出力される、請求項１から５のいずれか一項に記載のインターホンシステム。
【発明の詳細な説明】
【技術分野】
【０００１】
本発明は、インターホンシステムに関する。
【背景技術】
【０００２】
外出等により居住宅に誰もいない場合、居住者は来訪者からの呼出に応答することができない。このため、例えば、宅配業者は、居住者の不在時に来訪した場合、玄関等に宅配物を置いて帰ることで対応している（特許文献１参照）。そこで、宅配業者によって配達される荷物を置いておくための様々な宅配ボックスが提案されている（特許文献２参照）。
【先行技術文献】
【特許文献】
【０００３】
【特許文献１】特表２００９−５００２６２
【特許文献２】特開２０１３−１２６４９８
【発明の概要】
【発明が解決しようとする課題】
【０００４】
従来の宅配ボックスの多くは、戸建用ではなく、集合住宅用であるため、宅配ボックスに宅配物ではないものを入れるといった悪戯をされた場合であっても、居住者に影響はなかった。しかし、近年では、戸建用の宅配ボックスが使われ始めるようになった。戸建用の宅配ボックスは集合住宅用の宅配ボックスとは異なり、誰もが開閉できる位置に設置されるため、上述した悪戯をされる虞がある。上述した悪戯をされた場合、悪戯による影響が居住者に直接及んでしまう虞がある。
【０００５】
本発明は、宅配ボックスが悪戯目的で開けられることを防ぎつつ、宅配ボックスへの悪戯による居住者への影響を抑制することが可能なインターホンシステムを提供することを目的とする。
【課題を解決するための手段】
【０００６】
本発明の一態様に係るインターホンシステムは、
来訪者が操作する玄関子機と、
前記玄関子機からの呼出に応答する端末と、
宅配物を収納可能な宅配ボックスと、を備え、
前記玄関子機と、前記端末と、前記宅配ボックスは通信可能であり、
前記宅配ボックスは扉と、前記扉の閉状態を保つための電気錠と、を有しており、
前記電気錠を解錠するための信号が生成されると、前記端末は前記電気錠が解錠されたことを居住者に報知する。
【０００７】
上記構成によれば、宅配ボックスには電気錠が備わっており、来訪者は、電気錠を解錠しないと宅配ボックスを開けることができない。また、電気錠を解錠するための信号が生成されると、端末から、電気錠が解錠された旨が居住者に報知される。このため、居住者は、悪戯目的で宅配ボックスを開けようとする来訪者を、電気錠が解錠された段階、すなわち宅配ボックスの扉が開けられる前に知ることができる。
このように、上記構成によれば、宅配ボックスが悪戯目的で開けられることを防ぎつつ、宅配ボックスへの悪戯による居住者への影響を抑制することが可能なインターホンシステムを提供することができる。
【０００８】
また、本発明の一態様に係るインターホンシステムにおいて、
前記報知は報知音を発することにより行われる。
【０００９】
上記構成によれば、電気錠が解錠されたことは、報知音によって居住者に報知される。このため、居住者は、端末を監視せずとも、電気錠が解錠されたことを知ることができる。
【００１０】
また、本発明の一態様に係るインターホンシステムにおいて、
前記玄関子機はカメラを有しており、
前記電気錠を解錠するための信号が生成されると、前記カメラが撮影を開始する。
【００１１】
上記構成によれば、電気錠を解錠するための信号が生成されると、玄関子機が有するカメラは来訪者の撮影を開始する。このため、電気錠が解錠された時の来訪者を特定することができる。また、撮像データが保存されるように構成されていれば、当該来訪者が電気錠を解錠したことを示す証拠を残すこともできる。
【００１２】
また、本発明の一態様に係るインターホンシステムにおいて、
前記玄関子機はカメラを有しており、
前記玄関子機が前記カメラによって来訪者が宅配業者であることを示す画像が撮像されたことを検出した場合、前記電気錠を解錠するための信号が生成される。
【００１３】
上記構成によれば、来訪者が宅配業者である場合に限り、宅配ボックスの電気錠は解錠される。このため、より一層、悪戯目的の来訪者によって電気錠が解錠されることを防ぐことができる。
【００１４】
また、本発明の一態様に係るインターホンシステムにおいて、
前記宅配ボックスは、前記扉の開状態を検出する検出部を有しており、
前記検出部が前記扉の開状態を検出すると、前記端末から、前記扉の開状態を通知する通知音が報知される。
【００１５】
上記構成によれば、宅配ボックスの扉が開状態になると、端末から通知音が報知される。このため、居住者は電気錠が解錠された後、実際に宅配ボックスの扉が開けられたかどうか知ることができる。
【００１６】
また、本発明の一態様に係るインターホンシステムにおいて、
前記端末は、前記玄関子機から警報又は音声を出力するための操作部を備え、
前記操作部を介した操作によって、前記玄関子機から警報又は音声が出力される。
【００１７】
上記構成によれば、来訪者が、悪戯目的で宅配ボックスを開けようとしているとユーザが判断した場合、操作部を操作することによって、玄関子機から警報又は音声を発することができる。このため、悪戯目的の来訪者によって宅配ボックスが開けられることを抑制することができる。
【発明の効果】
【００１８】
本発明によれば、宅配ボックスが悪戯目的で開けられることを防ぎつつ、宅配ボックスへの悪戯による居住者への影響を抑制することが可能なインターホンシステムを提供することができる。
【図面の簡単な説明】
【００１９】
【図１】本発明の一形態に係るインターホンシステムの模式図である。
【図２】第一実施形態に係るインターホンシステムの機能ブロック図である。
【図３】第一実施形態に係る電気錠を備えるインターホンシステムにおける動作の流れを示すシーケンス図である。
【図４】第二実施形態に係るインターホンシステムの機能ブロック図である。
【図５】第二実施形態に係る電気錠を備えるインターホンシステムにおける動作の流れを示すシーケンス図である。
【図６】第三実施形態に係るインターホンシステムの機能ブロック図である。
【図７】第三実施形態に係る電気錠を備えるインターホンシステムにおける動作の流れを示すシーケンス図である。
【発明を実施するための形態】
【００２０】
＜全体構成＞
以下、本発明の実施形態について図面を参照しながら説明する。
図１は、本発明の一形態に係るインターホンシステム１の模式図である。図１に示すように、インターホンシステム１は、玄関子機２と、端末３と、宅配ボックス４と、を含んで構成されている。玄関子機２と、端末３と、宅配ボックス４は、有線又は無線により、直接的に又は間接的に通信可能である。端末３としては、例えば、インターホン親機、タブレット端末、スマートフォン等の電子機器が利用され得る。
【００２１】
＜第一実施形態＞
図２は、第一実施形態に係るインターホンシステム１の機能ブロック図である。本実施形態では、端末３として、インターホン親機５を用いている。図２に示すように、玄関子機２は、カメラ２１と、マイク２２と、スピーカ２３と、音声機器制御部２４と、呼出部２５と、映像処理部２６と、中央制御部２７と、通信ＩＦ（インターフェース）２８と、を備えている。
【００２２】
カメラ２１は、玄関子機２の前方を含む周囲を撮影する。カメラ２１の撮影範囲に来訪者が存在する場合、カメラ２１は、その来訪者を撮影する。さらに、カメラ２１は、二次元コードやバーコード等の画像の読み取りも可能である。マイク２２は、玄関子機２の周辺にいる来訪者の声等の音声を捉えるものである。スピーカ２３は、音声機器制御部２４によって制御された音声データを音声として出力する。
【００２３】
音声機器制御部２４は、マイク２２及びスピーカ２３の動作を制御するための制御部である。音声機器制御部２４は、１以上のプロセッサと１以上のメモリを含む少なくとも一つのマイクロコントローラと、トランジスタ等のアクティブ素子およびパッシブ素子を含むその他電子回路を含んでもよい。音声機器制御部２４は、例えば、スピーカ２３に対し、音声データを音声として出力するように制御する。
【００２４】
音声機器制御部２４は人工音声や警報音に関するデータを記憶することができる。人工音声としては、例えば、「宅配ボックスへの悪戯を止めてください。」といった音声である。警報音としては、例えば、サイレン音である。当該人工音声や警報音に関するデータに基づいて、音声機器制御部２４はスピーカ２３に駆動信号を送信し、スピーカ２３から音声を発せさせる。
【００２５】
呼出部２５は、図示しない信号発生器と呼出ボタンとを備えている。来訪者が呼出ボタンを押下すると、呼出部２５は呼出信号を生成し、当該呼出信号を中央制御部２７に送信する。
【００２６】
映像処理部２６は、カメラ２１の動作及び画像データ処理を制御するための制御部である。映像処理部２６は、１以上のプロセッサと１以上のメモリを含む少なくとも一つのマイクロコントローラと、トランジスタ等のアクティブ素子およびパッシブ素子を含むその他電子回路を含んでもよい。映像処理部２６は、例えば、カメラ２１が撮影した画像データ（撮像データとも呼ぶ。）を中央制御部２７に送信する。また、映像処理部２６は画像解析を行い、その解析結果を中央制御部２７に送信する。また、映像処理部２６は、中央制御部２７から受信したカメラ駆動信号に基づいて、カメラ２１を駆動させることもできる。
【００２７】
中央制御部２７は、音声機器制御部２４及び映像処理部２６の動作、並びにインターホン親機５及び宅配ボックス４との間で行われるデータの送受信を制御するための制御部である。中央制御部２７は、１以上のプロセッサと１以上のメモリを含む少なくとも一つのマイクロコントローラと、トランジスタ等のアクティブ素子およびパッシブ素子を含むその他電子回路を含んでもよい。プロセッサは、例えば、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）および／またはＴＰＵ（Ｔｅｎｓｏｒ  Ｐｒｏｃｅｓｓｉｎｇ  Ｕｎｉｔ）である。
【００２８】
中央制御部２７は、呼出信号を受信すると、この信号をインターホン親機５に送信する。また、中央制御部２７は、呼出信号を一定時間受信すると、来訪者が宅配業者であるか否かを照合するモード（宅配モード）に変更するための要求信号を生成する。当該要求信号は、映像処理部２６又はインターホン親機５に送信される。
【００２９】
中央制御部２７は、宅配ボックス４から開信号を受信すると、カメラ駆動信号を生成し、当該カメラ駆動信号を映像処理部２６に送信する。中央制御部２７は、当該カメラ駆動信号に基づいてカメラ２１を駆動させるよう、映像処理部２６を制御する。
【００３０】
尚、玄関子機２における音声機器制御部２４及び映像処理部２６の少なくとも一つの機能の少なくとも一部は、中央制御部２７が備えるプロセッサとメモリの協働によっても実現されうる。
【００３１】
通信ＩＦ２８は、インターホン親機５又は宅配ボックス４との通信を可能にする装置あるいはインターフェースである。
【００３２】
図２に示すように、インターホン親機５は、モニタ５１と、マイク５２と、スピーカ５３と、音声機器制御部５４と、操作部５５と、映像処理部５６と、中央制御部５７と、通信ＩＦ（インターフェース）５８と、を備えている。
【００３３】
モニタ５１は、液晶ディスプレイ、有機ＥＬディスプレイ等のディスプレイであって、カメラ２１が撮影した画像等を表示するように構成されている。
【００３４】
マイク５２は、インターホン親機５の周辺にいる居住者（ユーザとも呼ぶ。）の声等の音声を捉えるものである。スピーカ５３は、玄関子機２のマイク２２で捉えられた来訪者の声等の音声や報知音を発するものである。
【００３５】
音声機器制御部５４は、音声機器制御部２４と同様のハードウェアで構成され得る。音声機器制御部５４は、マイク５２及びスピーカ５３の動作を制御するための制御部である。音声機器制御部５４は、例えば、スピーカ５３に対し、宅配ボックス４の扉４１が開状態であることを示す報知音等を出力するように制御する。
【００３６】
操作部５５は、居住者の各種入力操作を受け付ける。各種入力操作には、例えば、来訪者が呼出部２５を操作したことに基づき居住者が応答するための操作、マイク５２に向けて発せられた居住者の音声をスピーカ２３に出力させる操作、警告メッセージや警告音等をスピーカ２３に出力させる操作、カメラ２１を駆動させる操作等が含まれる。操作部５５は、受け付けた各種入力操作に基づき、各種信号を生成し、中央制御部５７に送信する。操作部５５は各操作用のボタンで構成されていても良いし、操作部５５の機能も有するタッチパネルをモニタ５１が含むように構成されても良い。
【００３７】
映像処理部５６は、映像処理部２６と同様のハードウェアで構成され得る。映像処理部５６は、玄関子機２から送信された画像データに基づいて、画像をモニタ５１に表示させる。
【００３８】
また、映像処理部５６が、映像処理部２６の代わりに、上述した画像解析を行っても良い。
【００３９】
中央制御部５７は、音声機器制御部５４及び映像処理部５６の動作、並びに玄関子機２及び宅配ボックス４との間で行われるデータの送受信を制御するための制御部である。中央制御部５７は、１以上のプロセッサと１以上のメモリを含む少なくとも一つのマイクロコントローラと、トランジスタ等のアクティブ素子およびパッシブ素子を含むその他電子回路を含んでもよい。プロセッサは、例えば、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）および／またはＴＰＵ（Ｔｅｎｓｏｒ  Ｐｒｏｃｅｓｓｉｎｇ  Ｕｎｉｔ）である。
【００４０】
中央制御部５７は、玄関子機２から送信された要求信号に基づき、カメラ２１の駆動を要求する信号を生成する。当該駆動要求信号は、玄関子機２に送信される。また、中央制御部５７は、玄関子機２のカメラ２１によって撮像されたデータを、映像処理部５６によって画像解析するよう、映像処理部５６を制御する。
【００４１】
上述した画像解析の結果、来訪者が宅配業者であることが照合できた場合、中央制御部５７は、宅配ボックス４の扉４１を解錠するための解錠信号を生成し、これを宅配ボックス４に送信する。尚、当該動作は玄関子機２の中央制御部２７が行っても良い。
【００４２】
また、中央制御部５７は、玄関子機２から要求信号を受信する代わりに、玄関子機２の呼出部２５からの呼出信号を一定時間受信すると、インターホン親機５のモードを宅配モードに変更するように制御する。宅配モードに変更されると、中央制御部５７は、カメラ２１を駆動させるための要求信号を生成し、これを玄関子機２に送信する。さらに、この場合、中央制御部５７は、玄関子機２のカメラ２１によって撮像されたデータを映像処理部５６によって画像解析するように、映像処理部５６を制御する。
【００４３】
尚、インターホン親機５における音声機器制御部５４及び映像処理部５６の少なくとも一つの機能の少なくとも一部は、中央制御部５７が備えるプロセッサとメモリの協働によっても実現されうる。
【００４４】
通信ＩＦ５８は、玄関子機２又は宅配ボックス４への通信を可能にする装置あるいはインターフェースである。
【００４５】
図２に示すように、宅配ボックス４は、扉４１と、検出部４２と、通信ＩＦ（インターフェース）４３と、電気錠４４と、を備えている。
【００４６】
扉４１は開閉可能に構成されている。扉４１が開状態のとき、居住者や来訪者等は宅配物を収容可能な空間にアクセスすることができる。
【００４７】
検出部４２はセンサを備えている。検出部４２は、赤外線、マイクロ波、ミリ波等を用いて、宅配ボックス４の扉４１の開閉状態を所定の時間間隔で、又は連続的に検知するように構成されている。宅配ボックス４の扉４１が開状態になると、検出部４２は、扉４１が開状態になったことを示す信号を玄関子機２又はインターホン親機５に送信する。
【００４８】
通信ＩＦ４３は、玄関子機２又はインターホン親機５との通信を可能にする装置あるいはインターフェースである。
【００４９】
電気錠４４は扉４１を施錠することができる。電気錠４４によって、通常、扉４１は施錠されている。電気錠４４は、玄関子機２又はインターホン親機５からの解錠又は施錠信号により、扉４１の開閉を行い得る。このようにして、電気錠４４を備える宅配ボックス４においては、電気信号に応じて施錠及び解錠が可能となる。
【００５０】
図３は、第一実施形態に係る電気錠４４を備えるインターホンシステム１における動作の流れを示すシーケンス図である。居住者宅に赴いた来訪者（宅配業者）は、玄関子機２に備わっている呼出ボタンを一定時間押下し続ける（ステップＳ１）。これにより、宅配モードへの変更を要求する信号が生成され、インターホン親機５に送信される（ステップＳ２）。その結果、インターホン親機５は宅配モードに切り替わる。
【００５１】
インターホン親機５が宅配モードに切り替わると、スピーカ５３から報知音が発せられる（ステップＳ３）。当該報知音は、宅配モードに切り替わったことを居住者に知らせるためのものである。報知音はブザー音であってもよいし、メッセージ音声であってもよい。
【００５２】
宅配モードに切り替わると、中央制御部５７はカメラ駆動信号を生成し、玄関子機２に送信する（ステップＳ４）。これにより、カメラ２１が駆動する。このとき、「これから撮影を開始します。」といったメッセージがスピーカ２３から発せられてもよい。
【００５３】
カメラ２１が駆動すると、来訪者が宅配業者であることを示す画像をカメラ２１に読み取らせることが可能になる。このとき、音声機器制御部２４は、スピーカ２３に対し、「送り状をカメラに翳してください。」というようなメッセージを出力するように制御し得る。来訪者は、自身が宅配業者であることを示す画像をカメラ２１に読み取らせる。当該画像としては、例えば、宅配便の伝票のような送り状である。宅配便の伝票のような送り状をカメラ２１に読み取らせる場合、来訪者は当該送り状をカメラ２１に翳す（ステップＳ５）。カメラ２１は当該送り状を撮影する。
尚、ここでは、送り状の記入枠のレイアウト等から、来訪者が宅配業者であるか否かの識別をする例を用いて説明したが、この例に限られない。例えば、来訪者が宅配業者であることを示す二次元コードやバーコード等を用いてもよい。
【００５４】
映像処理部２６はカメラ２１が撮影した画像データを中央制御部２７に送信する。中央制御部２７は当該画像データを映像信号として、インターホン親機５に送信する（ステップＳ６）。
【００５５】
インターホン親機５の映像処理部５６は、玄関子機２から受信した画像データに含まれる送り状の記入枠のレイアウトから、送り状が宅配便の伝票等であるかを解析する。送り状が、例えば宅配便の伝票である場合、映像処理部５６は照合信号を生成し（ステップＳ７）、これを中央制御部５７に送信する。また、映像処理部５６は、玄関子機２から送信された画像データに基づき、撮像画像をモニタ５１に表示させる（ステップＳ７）。尚、玄関子機２から受信した画像データは、図示しない記憶部に記憶（録画）される（ステップＳ７）。
【００５６】
来訪者が宅配業者であることの照合ができない場合、インターホン親機５は、その結果を玄関子機２に送信する。その場合、玄関子機２は、照合ができない旨を通知するための人工音声又は警報音を、音声機器制御部２４に記憶されているデータに基づいて生成し、スピーカ２３によって出力する。
また、この場合、インターホン親機５のモニタ５１には、照合ができなかったことを示すメッセージが表示される。これにより、居住者は、照合ができなかったことを認識することができる。
【００５７】
一方、来訪者が宅配業者であることの照合ができた場合、中央制御部５７は解錠信号を宅配ボックス４に送信する（ステップＳ８）。解錠信号を受信した宅配ボックス４は、電気錠４４を解錠する（ステップＳ９）。扉４１は開閉可能状態になる。これにより、宅配業者は宅配ボックス４の扉４１を開けることができ（ステップＳ１１）、宅配ボックス４の収容スペースに宅配物を入れることができる。宅配業者は、宅配物を収容スペースに入れたら、扉４１を閉める。扉４１が閉まった後、一定時間経過すると、電気錠４４は扉４１を施錠することができる。また、解錠信号が、中央制御部５７から宅配ボックス４へ送信されると、インターホン親機５の中央制御部５７は、音声機器制御部５４に対し、スピーカ５３から報知音を出力させるよう制御する（ステップＳ１０）。報知音は、電気錠４４が解錠されたことを居住者に知らせるためのものである。報知音はブザー音であってもよいし、メッセージ音声であってもよい。
【００５８】
電気錠４４が解錠された後、宅配業者は宅配ボックス４の扉４１を開ける（ステップＳ１１）。扉４１が開けられると、検出部４２は、扉４１が開状態になったことを示す信号（開信号）をインターホン親機５の中央制御部５７に送信する（ステップＳ１２）。
【００５９】
開信号を受信した中央制御部５７は、音声機器制御部５４に対し、スピーカ５３から報知音を出力させるよう制御する（ステップＳ１３）。報知音は、扉４１が開けられたことを居住者に知らせるためのものである。報知音はブザー音であってもよいし、メッセージ音声であってもよい。
【００６０】
また、中央制御部５７は、検出部４２から開信号を受信すると、カメラ駆動信号を生成する。中央制御部５７は、開信号とカメラ駆動信号を玄関子機２に送信する（ステップＳ１４）。これにより、カメラ２１が駆動する（ステップＳ１５）。また、開信号に基づいて、「これから撮影を開始します。」といったメッセージがスピーカ２３から発せられる（ステップＳ１５）。
【００６１】
カメラ２１は撮像を開始すると、撮像したデータを映像処理部２６に送る。映像処理部２６は撮像データを中央制御部２７に送信する。中央制御部２７は撮像データを映像信号として、インターホン親機５に送信する（ステップＳ１６）。
【００６２】
映像処理部５６は、玄関子機２から送信された撮像データに基づき、撮像画像をモニタ５１に表示させる（ステップＳ１７）。尚、玄関子機２から受信した撮像データは、図示しない記憶部に記憶（録画）される（ステップＳ１７）。
【００６３】
モニタ５１に表示された画像から、悪戯目的で扉４１が開けられたと居住者が判断した場合、居住者は、来訪者への警告を含むメッセージや警報音等をスピーカ２３に出力させるための操作（警報出力操作）を操作部５５に入力する（ステップＳ１８）。操作部５５は、入力操作に基づいて警報出力信号を生成し、当該信号を中央制御部５７に送信する。中央制御部５７は警報出力信号を玄関子機２の中央制御部２７に送信する（ステップＳ１９）。
【００６４】
中央制御部２７は、警報出力信号を受信すると、音声機器制御部２４に対し、当該信号に基づいた警報をスピーカ２３から出力させるように制御する（ステップＳ２０）。
【００６５】
尚、上述の第一実施形態では、インターホン親機５の中央制御部５７から解錠信号が宅配ボックス４へ送信された時と、宅配ボックス４の検出部４２から開信号がインターホン親機５の中央制御部５７へ送信された時に、インターホン親機５のスピーカ５３から報知音が発せられるがこの例に限られない。ステップＳ１１からＳ１３までの各ステップは省略されてもよい。すなわち、中央制御部５７から解錠信号が宅配ボックス４へ送信された時に発せられる報知音が発報されると（ステップＳ１０）、中央制御部５７は開信号及びカメラ駆動信号を生成し、玄関子機２に送信する（ステップＳ１４）ように構成されてもよい。
【００６６】
＜第二実施形態＞
次に、図４及び５を参照して、第二実施形態に係るインターホンシステム１について説明する。図４は、第二実施形態に係るインターホンシステム１の機能ブロック図である。
【００６７】
第二実施形態は、インターホン親機５の代わりに、移動通信端末６及びサーバ７を用いている点で第一実施形態と異なっている。図４に示すように、第二実施形態に係るインターホンシステム１は、玄関子機２と、移動通信端末６と、サーバ７と、宅配ボックス４と、から構成されている。
【００６８】
第二実施形態に係る玄関子機２と宅配ボックス４は、第一実施形態に係る玄関子機２及び宅配ボックス４と同様であるため、説明を省略する。移動通信端末６は、タブレット端末、スマートフォン等の電子機器である。
【００６９】
図４に示すように、移動通信端末６は、表示部６１と、マイク６２と、スピーカ６３と、音声機器制御部６４と、操作部６５と、映像処理部６６と、中央制御部６７と、通信ＩＦ（インターフェース）６８と、を備えている。
【００７０】
表示部６１は、液晶ディスプレイ、有機ＥＬディスプレイ等のタッチスクリーン型のディスプレイであって、操作画面やカメラ２１が撮影した画像等を表示するように構成されている。
【００７１】
マイク６２は、移動通信端末６のユーザの声等の音声を捉えるものである。スピーカ６３は、玄関子機２のマイク２２で捉えられた来訪者の声等の音声や報知音を発するものである。
【００７２】
音声機器制御部６４は、インターホン親機５に備わっている音声機器制御部５４と同様のハードウェアで構成され得る。音声機器制御部６４は、マイク６２とスピーカ６３の動作を制御するための制御部である。
【００７３】
操作部６５は、例えば、表示部６１上に重ねて配置されたタッチパネル、移動通信端末６の本体に取り付けられた操作ボタン等である。操作部６５は、ユーザの各種入力操作を受け付ける。各種入力操作には、例えば、来訪者が呼出部２５を操作したことに基づき居住者が応答するための操作、マイク６２に向けて発せられたユーザの音声をスピーカ２３に出力させる操作、警告メッセージや警告音等をスピーカ２３に出力させる操作、表示部６１に画像データを表示させる操作等が含まれる。操作部６５は、受け付けた各種入力操作に基づき、各種信号を生成し、中央制御部６７に送信する。
【００７４】
映像処理部６６は、映像処理部２６と同様のハードウェアで構成され得る。映像処理部６６は、サーバ７から送信された画像データを表示部６１に表示させる。
【００７５】
中央制御部６７は、音声機器制御部６４及び映像処理部６６の動作、並びに玄関子機２、サーバ７及び宅配ボックス４との間で行われるデータの送受信を制御するための制御部である。中央制御部６７は、中央制御部２７と同様のハードウェアで構成され得る。
【００７６】
中央制御部６７は、来訪者が宅配業者であることの照合ができた場合、宅配ボックス４の扉４１を解錠するための解錠信号を生成し、当該信号を宅配ボックス４に送信する。尚、当該動作は玄関子機２の中央制御部２７が行っても良い。
【００７７】
中央制御部６７は、操作部６５から画像取得信号や警報出力信号を受信すると、当該信号をサーバ７に送信する。
【００７８】
通信ＩＦ６８は、サーバ７への通信を可能にする装置あるいはインターフェースである。通信ＩＦ６８とサーバ７は、インターネット回線等で通信可能である。
【００７９】
図４に示すように、サーバ７は、記憶部７１と、映像処理部７２と、制御部７３と、通信ＩＦ（インターフェース）７４と、を備えている。サーバ７は、例えば、クラウドサーバである。
【００８０】
記憶部７１は、各種電気信号、音声データ、音データ、画像データ等を保存可能な記憶領域を有している。
【００８１】
映像処理部７２は、映像処理部２６と同様のハードウェアで構成され得る。映像処理部７２は、カメラ２１が撮影した画像データに対し、画像解析を行うことができる。映像処理部７２は、その解析結果を制御部７３に送信する。
【００８２】
制御部７３は、記憶部７１及び映像処理部７２の動作、並びに玄関子機２及び移動通信端末６との間で行われるデータの送受信を制御するための制御部である。制御部７３は、中央制御部２７と同様のハードウェアで構成され得る。
【００８３】
制御部７３は、中央制御部６７から画像取得信号を受信すると、記憶部７１に対し、当該画像取得信号に基づいて、画像データを送信するよう制御する。
【００８４】
制御部７３は、検出部４２から開信号を受信すると、当該開信号に基づいて、記憶部７１に記憶されている、扉４１が開けられたことをユーザに知らせるための報知音データを移動通信端末６に送信するよう制御する。
【００８５】
通信ＩＦ７４は、玄関子機２、宅配ボックス４又は移動通信端末６への通信を可能にする装置あるいはインターフェースである。
【００８６】
図５は、第二実施形態に係る電気錠４４を備えるインターホンシステム１における動作の流れを示すシーケンス図である。居住者宅に赴いた来訪者（宅配業者）は、玄関子機２に備わっている呼出ボタンを一定時間押下し続ける（ステップＳ２１）。これにより、中央制御部２７は、玄関子機２を宅配モードへ切り替える。また、中央制御部２７は、カメラ駆動信号を生成する。中央制御部２７は、当該カメラ駆動信号を映像処理部２６に送信する。映像処理部２６が当該カメラ駆動信号を受信すると、カメラ２１が駆動する（ステップＳ２２）。このとき、「これから撮影を開始します。」といったメッセージがスピーカ２３から発せられてもよい。
【００８７】
カメラ２１が駆動すると、来訪者が宅配業者であることを示す画像をカメラ２１に読み取らせることが可能になる。このとき、「送り状をカメラに翳してください。」というようなメッセージをスピーカ２３から出力させるように構成されてもよい。来訪者は、自身が宅配業者であることを示す画像をカメラ２１に読み取らせる。例えば、宅配便の伝票のような送り状をカメラ２１に読み取らせる場合、来訪者は当該送り状をカメラ２１に翳す（ステップＳ２３）。カメラ２１は当該送り状を撮影する。
尚、ここでは、送り状の記入枠のレイアウト等から、来訪者が宅配業者であるか否かの識別をする例を用いて説明したが、この例に限られない。例えば、来訪者が宅配業者であることを示す二次元コードやバーコード等を用いてもよい。
【００８８】
玄関子機２は、カメラ２１が撮影したデータを中央制御部２７に送信する。中央制御部２７は当該画像データを映像信号として、サーバ７に送信する（ステップＳ２４）。
【００８９】
サーバ７の制御部７３は、受信した画像データを映像処理部７２に送信する。映像処理部７２は受信した画像データを記憶部７１に送信する。記憶部７１は、当該画像データを記憶（録画）する（ステップＳ２５）。また、映像処理部７２はカメラ２１が撮影した画像データを解析する。
【００９０】
映像処理部７２は、玄関子機２から受信した画像データに含まれる送り状の記入枠のレイアウトから、送り状が宅配便の伝票等であるかを解析する（ステップＳ２５）。送り状が宅配便の伝票等である場合、映像処理部７２は、電気錠４４を解錠するための信号の一つである照合信号を生成し、これを玄関子機２に送信する（ステップＳ２６）。玄関子機２の中央制御部２７は、照合信号を受信すると、電気錠４４を解錠するための信号である解錠信号を生成し、当該解錠信号を宅配ボックス４に送信する（ステップＳ２７）。尚、来訪者が宅配業者であることの照合ができない場合、音声機器制御部２４に記憶されているデータに基づく人工音声又は警報音が、スピーカ２３によって出力される。
【００９１】
解錠信号を受信した宅配ボックス４は、電気錠４４を解錠する（ステップＳ２８）。扉４１は開閉可能状態になる。
【００９２】
サーバ７の映像処理部７２が照合信号を玄関子機２に送信すると、制御部７３は解錠通知信号を生成し、当該信号を移動通信端末６に送信する（ステップＳ２９）。移動通信端末６の中央制御部６７は、当該信号を受信すると、音声機器制御部６４に対し、スピーカ６３から報知音を出力させるよう制御する（ステップＳ３０）。報知音は、電気錠４４が解錠されたことをユーザに知らせるためのものである。報知音はブザー音であってもよいし、メッセージ音声であってもよい。
【００９３】
電気錠４４が解錠されると（ステップＳ２８）、宅配業者は宅配ボックス４の扉４１を開けることができる。宅配業者は、扉４１を開け（ステップＳ３１）、宅配ボックス４の収容スペースに宅配物を入れることができる。
【００９４】
電気錠４４が解錠された後、宅配業者は宅配ボックス４の扉４１を開ける（ステップＳ３１）。扉４１が開けられると、検出部４２は、扉４１が開状態になったことを示す信号（開信号）をサーバ７に送信する（ステップＳ３２）。
【００９５】
開信号を受信したサーバ７の制御部７３は、記憶部７１に記憶された、扉４１が開けられたことをユーザに知らせるための報知音データを移動通信端末６に送信するよう制御する（ステップＳ３３）。移動通信端末６の中央制御部６７は、音声機器制御部６４に対し、当該報知音データに基づいた報知音をスピーカ６３から出力させるよう制御する（ステップＳ３４）。尚、報知音はブザー音であってもよいし、メッセージ音声であってもよい。
【００９６】
また、玄関子機２は、解錠信号を宅配ボックス４に送信すると（ステップＳ２７）、中央制御部２７はカメラ駆動信号を生成し、映像処理部２６に当該カメラ駆動信号を送信する。映像処理部２６は、当該カメラ駆動信号に基づき、カメラ２１を駆動させる（ステップＳ３５）。また、中央制御部２７は通知音出力信号を生成し、音声機器制御部２４に当該通知音出力信号を送信する。音声機器制御部２４は、当該通知音出力信号に基づいて、スピーカ２３から通知音を出力させる（ステップＳ３５）。通知音は、例えば、「これから撮影を開始します。」といったメッセージを含んでも良い。
【００９７】
カメラ２１は撮像を開始すると、撮像したデータを映像処理部２６に送る。映像処理部２６は撮像データを中央制御部２７に送信する。中央制御部２７は撮像データを映像信号として、制御部７３に送信する（ステップＳ３６）。制御部７３は、記憶部７１に対し、撮像データを記憶（録画）するよう制御する（ステップＳ３７）。
【００９８】
ステップＳ４５の報知音を聞いたユーザは、来訪者をモニタするために、表示部６１に撮像データを表示させる操作（モニタ要求操作）を操作部６５に入力する（ステップＳ３８）。モニタ要求操作に基づき、中央制御部６７は画像取得信号を生成し、これをサーバ７に送信する（ステップＳ３９）。
【００９９】
サーバ７の制御部７３は、記憶部７１に対し、受信した画像取得信号に基づいて、撮像データを制御部７３に送信するよう制御する。記憶部７１は、当該画像取得信号に基づく撮像データを制御部７３に送信する。制御部７３は、当該撮像データを中央制御部６７に送信する（ステップＳ４０）。
【０１００】
中央制御部６７は、受信した撮像データを映像処理部６６に送信する。映像処理部６６は、当該撮像データを表示部６１に表示させる（ステップＳ４１）。
【０１０１】
表示部６１に表示された画像から、悪戯目的で扉４１が開けられたとユーザが判断した場合、ユーザは、来訪者への警告を含むメッセージや警報音等をスピーカ２３に出力させるための操作（警報出力操作）を操作部６５に入力する（ステップＳ４２）。警報出力操作に基づいて、中央制御部６７は警報出力信号を生成し、当該信号をサーバ７に送信する（ステップＳ４３）。サーバ７の制御部７３は警報出力信号を玄関子機２に送信する（ステップＳ４４）。
【０１０２】
玄関子機２の中央制御部２７が警報出力信号を受信すると、中央制御部２７は、音声機器制御部２４に対し、当該信号に基づいた警報をスピーカ２３から出力するように制御する（ステップＳ４５）。
【０１０３】
尚、上述の第二実施形態では、映像処理部７２から、電気錠４４を解錠するための信号の一つである照合信号が玄関子機２へ送信された時と、検出部４２から開信号がサーバ７の制御部７３へ送信された時に、移動通信端末６のスピーカ６３から報知音が発せられるがこの例に限られない。例えば、ステップＳ３１からＳ３４の各ステップは省略されてもよい。
【０１０４】
＜第三実施形態＞
次に、図６及び７を参照して、第三実施形態に係るインターホンシステム１について説明する。図６は、第三実施形態に係るインターホンシステム１の機能ブロック図である。
【０１０５】
第三実施形態に係るインターホンシステム１は、玄関子機２、インターホン親機５、宅配ボックス４に加えて、移動通信端末６及びサーバ７も含んでいる点で第一実施形態と異なっている。また、第三実施形態に係るインターホンシステム１は、玄関子機２、移動通信端末６、サーバ７、宅配ボックス４に加えて、インターホン親機５も含んでいる点で第二実施形態と異なっている。図６に示すように、第三実施形態に係るインターホンシステム１は、玄関子機２と、インターホン親機５と、移動通信端末６と、サーバ７と、宅配ボックス４と、から構成されている。
【０１０６】
第三実施形態に係る玄関子機２、インターホン親機５、宅配ボックス４は、第一実施形態に係る玄関子機２、インターホン親機５、宅配ボックス４と同様である。また、第三実施形態に係る移動通信端末６及びサーバ７は、第二実施形態に係る移動通信端末６及びサーバ７と同様である。ただし、通信ＩＦ２８と通信ＩＦ４３と通信ＩＦ５８は、通信ＩＦ７４とも接続されている点で、第一実施形態とは異なっている。
【０１０７】
図７は、第三実施形態に係る電気錠４４を備えるインターホンシステム１における動作の流れを示すシーケンス図である。
【０１０８】
ステップＳ５１〜Ｓ５９は、ステップＳ１〜Ｓ９と同様であるので、説明を省略する。
【０１０９】
インターホン親機５の中央制御部５７は、宅配ボックス４に解錠信号を送信すると、解錠通知信号を生成し、これをサーバ７に送信する（ステップＳ６０）。サーバ７の制御部７３は、当該信号を移動通信端末６へ送信する（ステップＳ６１）。移動通信端末６の中央制御部６７は、当該信号を受信すると、音声機器制御部６４に対し、スピーカ６３から報知音を出力させるよう制御する（ステップＳ６２）。報知音は、電気錠４４が解錠されたことをユーザに知らせるためのものである。報知音はブザー音であってもよいし、メッセージ音声であってもよい。
【０１１０】
電気錠４４が解錠された後（ステップＳ５９）、宅配業者は宅配ボックス４の扉４１を開ける（ステップＳ６３）。扉４１が開けられると、検出部４２は、扉４１が開状態になったことを示す信号（開信号）をインターホン親機５の中央制御部５７に送信する（ステップＳ６４）。開信号を受信した中央制御部５７は、音声機器制御部５４に対し、スピーカ５３から報知音を出力させるよう制御する（ステップＳ６５）。報知音は、扉４１が開けられたことを居住者に知らせるためのものである。報知音はブザー音であってもよいし、メッセージ音声であってもよい。さらに、中央制御部５７は、検出部４２から開信号を受信すると、カメラ駆動信号を生成する。中央制御部５７は、開信号とカメラ駆動信号を玄関子機２に送信する（ステップＳ６６）。これにより、カメラ２１が駆動する（ステップＳ６７）。また、開信号に基づいて、「これから撮影を開始します。」といったメッセージがスピーカ２３から発せられる（ステップＳ６７）。
また、検出部４２は、開信号をサーバ７の制御部７３にも送信する（ステップＳ６８）。制御部７３は、当該開信号を移動通信端末６の中央制御部６７に送信する（ステップＳ６９）。開信号を受信した中央制御部６７は、音声機器制御部６４に対し、スピーカ６３から報知音を出力させるよう制御する（ステップＳ７０）。報知音は、扉４１が開けられたことを居住者に知らせるためのものである。報知音はブザー音であってもよいし、メッセージ音声であってもよい。
【０１１１】
ステップＳ７１〜Ｓ７２は、ステップＳ１６〜Ｓ１７と同様であるので、説明を省略する。
ステップＳ７３〜Ｓ７８は、ステップＳ３６〜Ｓ４１と同様であるので、説明を省略する。
ステップＳ７９〜Ｓ８１は、ステップＳ１８〜Ｓ２０と同様であるので、説明を省略する。
ステップＳ８２〜Ｓ８５は、ステップＳ４２〜Ｓ４５と同様であるので、説明を省略する。
【０１１２】
尚、上述の第三実施形態では、宅配ボックス４の扉４１が開けられると、インターホン親機５のスピーカ５３と移動通信端末６のスピーカ６３から報知音が発報されるが、この例に限られない。例えば、ステップＳ６３からＳ７０の各ステップは省略されてもよい。
【０１１３】
上記第一から第三実施形態の構成によれば、宅配ボックス４には電気錠４４が備わっているため、電気錠４４を解錠しないと宅配ボックス４を開けることができない。また、電気錠４４を解錠するための信号が生成されると、端末３から、電気錠４４が解錠された旨が居住者に報知される。このため、居住者は、悪戯目的で宅配ボックス４を開けようとする来訪者を、電気錠４４が解錠された段階で認識することができる。その結果、居住者は悪戯目的で宅配ボックス４を開けようとしている来訪者に対し、何らかの対応を講じることができる。
このように、上記第一から第三実施形態の構成によれば、宅配ボックス４が悪戯目的で開けられることを防ぎつつ、宅配ボックス４への悪戯による居住者への影響を抑制することが可能なインターホンシステム１を提供することができる。
【０１１４】
また、上記第一から第三実施形態の構成によれば、電気錠４４が解錠されたことの報知は報知音により行われるので、居住者は、端末３を監視せずとも、電気錠４４が解錠されたことを知ることができる。
【０１１５】
また、上記第一から第三実施形態の構成によれば、電気錠４４を解錠するための信号が生成されると、玄関子機２が有するカメラ２１は来訪者の撮影を開始する。このため、電気錠４４が解錠された時の来訪者を特定することができる。また、撮像データが保存されるように構成されていれば、当該来訪者が電気錠４４を解錠したことを示す証拠を残すこともできる。
【０１１６】
また、上記第一から第三実施形態の構成によれば、来訪者が宅配業者である場合に限り、宅配ボックス４の電気錠４４が解錠される。このため、より一層、悪戯目的の来訪者によって電気錠４４が解錠されることを防ぐことができる。
【０１１７】
また、上記第一から第三実施形態の構成によれば、宅配ボックス４の扉４１が開状態になると、端末３から通知音が報知される。このため、居住者は電気錠４４が解錠された後、実際に宅配ボックス４の扉４１が開けられたかどうか知ることができる。
【０１１８】
また、上記第一から第三実施形態の構成によれば、来訪者が、悪戯目的で宅配ボックスを開けようとしていると居住者が判断した場合、操作部５５を操作することによって、玄関子機２のスピーカ２３から警報又は音声を出力することができる。このため、悪戯目的の来訪者によって宅配ボックス４の扉４１が開けられることを抑制することができる。
【０１１９】
尚、上記第一から第三実施形態では、居住者が警報出力操作を行うことで、来訪者への警告を含むメッセージや警報音等がスピーカ２３から出力されるが、この例に限られない。例えば、来訪者が宅配業者であることを示す画像が一定時間、カメラ２１に翳されないと、自動的に、来訪者への警告を含むメッセージや警報音等がスピーカ２３から出力されるように構成されてもよい。また、さらに一定時間経過すると、玄関子機２における宅配モードは解除される。
【０１２０】
尚、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【０１２１】
１：インターホンシステム、２：玄関子機、３：端末、４：宅配ボックス、５：インターホン親機、６：移動通信端末、７：サーバ
【図１】
2019149694.tif 000003
【図２】
2019149694.tif 000004
【図３】
2019149694.tif 000005
【図４】
2019149694.tif 000006
【図５】
2019149694.tif 000007
【図６】
2019149694.tif 000008
【図７】
2019149694.tif 000009